(57)【特許請求の範囲】
【請求項１】
ディスクが収納され、第１の面とこれとは反対側の第２の面と有し、且つ、該第１の面に第１の開口ホール及び第１の収容ホール、該第２の面に第２の開口ホール及び第２の収容ホールを有するケースと、
該ケースの上記第１の開口ホール及び第２の開口ホールを開閉するシャッタとを備え、
上記第１の面が上方を向く第１の姿勢及び上記第２の面が上方を向く第２の姿勢で安着されるディスクカートリッジにおいて、
前記シャッタは、
前記第１の開口ホールをカバーして第１の開口ホールを開閉すべく前記ケースに摺動自在に設けられた第１の内側シャッタと、
前記第２の開口ホールをカバーして第２の開口ホールを開閉すべく前記ケースに摺動自在に設けられた第２の内側シャッタと、
前記第１の内側シャッタ及び第２の内側シャッタと重なっており、前記第１の開口ホール及び第１の収容ホールをカバーすると共に前記第２の開口ホール及び第２の収容ホールをカバーして、前記ケースに摺動自在に設けてある外側シャッタと、
前記開口ホールを閉じる方向に前記一対の内側シャッタを各々弾性バイアスさせる弾性部材と、
前記外側シャッタに設けられた係止突起と、
前記第１、第２の内側シャッタに各々設けられ、前記係止突起を挟んで対向配置され、前記外側シャッタの摺動時にいずれか一方が前記係止突起に押されて移動される干渉突起とを有し、
前記ディスクカートリッジが前記第１の面が上方を向く第１の姿勢で安着されるときには、前記外側シャッタが摺動され、前記係止突起が前記第２の内側シャッタの干渉突起を押して、前記第２の内側シャッタが連動して移動され、前記第１の開口ホールが密閉された状態を維持し、前記第２の開口ホール、前記第１の収容ホール及び前記第２の収容ホールが開放された状態となり、
前記ディスクカートリッジが前記第２の面が上方を向く第２の姿勢で安着されるときには、前記外側シャッタが摺動され、前記係止突起が前記第１の内側シャッタの干渉突起を押して、前記第１の内側シャッタが連動して移動され、前記第２の開口ホールが密閉された状態を維持し、前記第１の開口ホール、前記第１の収容ホール及び前記第２の収容ホールが開放された状態となるようにしたことを特徴とするディスクカートリッジ。
【発明の詳細な説明】
【０００１】
【発明の属する技術分野】
本発明は情報記録／再生媒体であるディスクを収納するディスクカートリッジに係り、特に、ホコリ流入の可能性を減らしたディスクカートリッジに関する。
【０００２】
【従来の技術】
一般に、ディスクカートリッジ１０は、図１及び図２に示されたように、記録再生装置１００に使用されるディスクＤを収納するものであって、ディスクＤが収納される内部空間を形成する上、下ケース１１，１２と、ディスクＤを支持して上、下ケース１１，１２内に挿入結合されるホルダ１３、及び記録再生装置のピックアップ１３０がディスクＤにアクセス可能に上、下ケース１１，１２に形成された開口ホール１１ａ，１２ａを選択的に開閉するシャッタ１４を含んでなる。参照符号１１ｂ，１２ｂは記録再生装置１００のターンテーブル１１０及びクランパ１２０がディスクＤのクランピング領域Ｄ１を上下方においてクランピング可能に開口ホール１１ａ，１２ａに連結されて形成された収容ホールであり、この収容ホール１１ｂ，１２ｂもシャッタ１４の開閉動作によって開閉される。そして、参照符号１５０は、シャッタ１４を開閉するために記録再生装置１００の蓋体１０１に設けられたオープニングレバーであり、トレイ１４０に安着されたカートリッジ１０が記録再生装置１００内に取り入れられるに伴い、このオープニングレバー１５０の一端部が、図３Ａ及び図３Ｂに示されたように、シャッタ１４の係止爪１４ａに係止されて回転しつつそのシャッタ１４をオープンさせる。参照符号１５１は、カートリッジ１０を記録再生装置１００から取り出す時に、オープニングレバー１５０を元の位置に戻すスプリングである。
【０００３】
一方、普通、最近のディスクは、その一面だけではなく両面共に情報が記録可能になっている。このため、ディスクカートリッジ１０もディスクＤの両面共が使用可能に、上、下ケース１１，１２が対称構造に形成されている。すなわち、図２に示されたように、開口ホール１１ａ，１２ａ及び収容ホール１１ｂ，１２ｂが上、下ケース１１，１２共に形成されており、ディスクＤの一面を使用する時にはもとより、カートリッジ１０をひっくり返して他方の面を使用する時にも同様にピックアップ１３０のアクセスが可能に構成されている。
【０００４】
ところが、このようにディスクＤをカートリッジ１０内に収納して使用する最大の理由は、ディスクＤをホコリなどの異物から保護するためである。すなわち、ホコリなどの異物がディスクＤ表面に付着すれば、高密度ディスクであるほどそれが記録及び再生作業時に正確な信号処理を妨げる要因として働く可能性が高いために、前述の通りにカートリッジ１０の内部に収納して使用するのである。
【０００５】
しかしながら、記録再生作業に際しては、前述の通り、ピックアップ１３０によるアクセスのためにはシャッタ１４を開かざるを得ないため、この時には開口ホール１１ａ，１２ａを介してカートリッジ１０内にホコリが流入されることを甘受せざるを得なかった。特に、非使用中のディスク面側の開口ホール（図１の場合、上面側の開口ホール１１ａ）は、ピックアップ１３０がアクセスしていないにも拘わらず、シャッタ１４が開かれて完全に開放された状態にあるがゆえに、ホコリ流入の可能性が一層高まり、それに対する対策が絶望されている。
【０００６】
【発明が解決しようとする課題】
本発明は上記事情に鑑みてなされたものであり、その目的は、外部からのホコリ流入の可能性を低減可能に改善されたディスクカートリッジを提供するところにある。
【０００７】
【課題を解決するための手段】
前記目的を達成するために、本発明は、ディスクが収納されるケースと、前記ケースに形成された開口ホールを選択的に開閉するシャッタとを備えるディスクカートリッジにおいて、前記シャッタが内側シャッタ及び外側シャッタの複層構造を有することを特徴とする。
【０００８】
【発明の実施の形態】
以下、添付した図面に基づき、本発明をより詳細に説明する。
【０００９】
図４ないし図６は、本発明に係るディスクカートリッジを示すものである。
【００１０】
まず、図４を参照すれば、ディスクカートリッジ２０はディスクＤの収納空間を形成する上、下ケース２１，２２と、上、下ケース２１，２２各々に形成された開口ホール２１ａ，２２ａ及び収容ホール２１ｂ，２２ｂを選択的に開閉するためのシャッタ２４，２５，２６とを備えている。
【００１１】
ここで、前記シャッタは、外側シャッタ２４及び内側シャッタ２５，２６の二層構造となっている。すなわち、一対の内側シャッタ２５，２６がカートリッジ２０両面の開口ホール２１ａ，２２ａをカバーし、その上に収容ホール２１ｂ，２２ｂまでさらにカバーする外側シャッタ２４が２重に設けられている。そして、一対の内側シャッタ２５，２６は所定の連動手段によって外側シャッタ２４と連結され、外側シャッタ２４の摺動方向に応じてこれら内側シャッタ２５，２６の内いずれか一方が前記外側シャッタと共に開閉動作を行う。この連動手段には、一対の内側シャッタ２５，２６に開口ホール２１ａ，２２ａ及び収容ホール２１ｂ，２２ｂを閉じる方向に弾性力を与える弾性部材としてのトーションスプリング２７と、外側シャッタ２４に形成された係止突起２４ａ、及び内側シャッタ２５，２６に形成された干渉突起２５ａ，２６ａが含まれる。係止突起２４ａは外側シャッタ２４の内壁中央部に設けられ、一対の内側シャッタ２５，２６の干渉突起２５ａ，２６ａがその両側に対向するように位置する。従って、外側シャッタ２４が図４の右側方向に摺動すれば、係止突起２４ａによって干渉突起２５ａが押されて内側シャッタ２５が共に開かれ、これとは逆に左側方向に摺動すれば、干渉突起２６ａが押されつつ内側シャッタ２６が共に開かれる。すなわち、外側シャッタ２４の摺動方向に応じて二つの内側シャッタ２５，２６のうちいずれか一方が選択的に開かれ、他の一方は閉ざされた状態を維持するのである。参照符号２５ｂ及び２６ｂは、摺動方向に沿ってカートリッジ２０に形成されたスロット２３に嵌め込まれるように干渉突起２５ａ，２６ａに設けられた摺動ガイド突起である。
【００１２】
このような構成のディスクカートリッジ２０をトレイ１４０（図１参照）に安着させて記録再生装置１００（図１参照）内に取り入れれば、図５に示されたように、オープニングレバー１５０の一端部が外側シャッタ２４の係止爪２４ｂに係止されて回転しつつその外側シャッタ２４を開く。この時、外側シャッタ２４の係止突起２４ａによって内側シャッタ２６の干渉突起２６ａが押されつつ共に開かれる。結局、図６Ａに示されたように、下部ケース２２側の開口ホール２２ａが開放され、以降にピックアップ１３０（図１参照）が開放された開口ホール２２ａを介してディスクＤの一面にアクセス可能になる。しかし、ピックアップ１３０（図１参照）によるアクセス面とは反対側の開口ホール２１ａは、図６Ｂに示されたように、内側シャッタ２５によって密閉された状態を維持する。すなわち、ピックアップ１３０（図１参照）がアクセスされる使用面側は従来のように開口ホール２２ａが開放されるが、その反対側は収容ホール２１ｂの他には密閉された状態となる。そして、収容ホール２１ｂもディスクＤのクランピングによってその収容ホール２１ｂの直径にほとんど同じクランパ１２０（図１参照）が結合されるために、完全に開放された状態ではない。従って、この状態でディスクＤに記録及び再生作業を行えば、非使用面側を介してのホコリの流入は従来に比べて相当抑えることができる。すなわち、従来に比べて記録再生作業中に外部に開放されるホールの面積が略半分に減るので、ホコリの流入の可能性がその分だけ減り、これにより、信号処理に誤りが生じる可能性も減る。
【００１３】
次に、カートリッジ２０を記録再生装置１００から取り出し直せば、オープニングレバー１５０が元の位置に戻り、同時にトーションスプリング２７によって内側シャッタ２６及び外側シャッタ２４が元の位置に戻りつつ、開放されていた開口ホール２２ａが閉じる。
【００１４】
一方、前記使用されたディスクＤ面の反対側の面を使用したい場合には、取りあえずディスクカートリッジ２０を記録再生装置１００から取り出した後、使用していない面が下方に向くように、すなわち、内側シャッタ２５を下にくるようにひっくり返して記録再生装置１００内に取り入れ直す。これにより、外側シャッタ２４がオープニングレバー１５０によって開かれつつ、今度は図７のように内側シャッタ２５を共に開く。すなわち、オープニングレバー１５０は外側シャッタ２４を相変わらず同じ方向に開くものの、カートリッジ２０の上下が逆さまになったため、開かれる内側シャッタは他方のものになるのである。従って、開かれた開口ホール２１ａを介して以前に使用されていないディスクＤ面にピックアップ１３０（図１参照）がアクセスすることになる。この時にも同様に、ピックアップ１３０（図１参照）によるアクセスがない反対面は内側シャッタ２６によって閉ざされた状態を維持するので、ホコリなどの異物を流入が抑えられる。
【００１５】
これにより、ディスクＤの両面共を使用できつつも、特に非使用面側の開口ホールを介してのホコリの流入が遮断可能になる。
【００１６】
【発明の効果】
以上述べたように、本発明に係るディスクカートリッジは、開口ホールを開閉するシャッタを外側シャッタ及び内側シャッタの二層構造にし、ピックアップがアクセスされる側の内側シャッタのみを開いておくことから、記録再生作業中に外部に晒される面積を従来に比べて略半分に狭めることができ、内部に収納されたディスクがホコリなどの異物によって汚染される可能性を相当減らせるという効果を有する。
【図面の簡単な説明】
【図１】記録再生装置に装着される従来のディスクカートリッジを示す図である。
【図２】図１に示されたディスクカートリッジの分解斜視図である。
【図３Ａ】図１に示されたディスクカートリッジのシャッタオープン過程を説明するための図である。
【図３Ｂ】図１に示されたディスクカートリッジのシャッタオープン過程を説明するための図である。
【図４】本発明に係るディスクカートリッジを示す分解斜視図である。
【図５】図４に示されたディスクカートリッジのシャッタオープン過程を説明するための図である。
【図６Ａ】図５の過程によりオープンされたディスクカートリッジの下面及び上面を各々示す図である。
【図６Ｂ】図５の過程によりオープンされたディスクカートリッジの下面及び上面を各々示す図である。
【図７】図６Ａに示されたディスクカートリッジがひっくり返されて取り入れられた時のシャッタオープン状態を示す図である。
【符号の説明】
２０  ディスクカートリッジ
２１，２２  上、下ケース
２１ａ，２２ａ  開口ホール
２１ｂ，２２ｂ  収容ホール
２４，２５，２６  シャッタ
【図１】
0003695585.tif 000002
【図２】
0003695585.tif 000003
【図３Ａ】
0003695585.tif 000004
【図３Ｂ】
0003695585.tif 000005
【図４】
0003695585.tif 000006
【図５】
0003695585.tif 000007
【図６Ａ】
0003695585.tif 000008
【図６Ｂ】
0003695585.tif 000009
【図７】
0003695585.tif 000010